(57)【特許請求の範囲】
【請求項１】
シールドケース本体の一面に開口面を有し、プリント基板を内部に配置した箱型のシールドケースにおいて、
前記シールドケース本体の前記開口面の内側に挿入するシールドカバーと、
前記シールドケース本体の前記開口面以外の対向する二つの側面それぞれに配置された平行運動機構と、を有し、
前記シールドカバーが少なくとも下側に９０度曲げられた曲げ部を有し、
前記平行運動機構の下側のリンクが、前記シールドカバーの前記曲げ部を受けるための断面Ｌ字形状の部材であり、
前記平行運動機構が、上下のリンクと、前記シールドケース本体の前記開口面に対向して位置するブラケットを有し、
前記平行運動機構の下側のリンクの下側に、該リンクを押し上げ付勢するバネを配し、
前記バネの付勢により前記平行運動機構の下側のリンクを押し上げて、前記シールドカバーを前記平行運動機構の前記ブラケットと前記シールドケース本体の前記開口面の縁の内面とで挟み込むようにしてなる、
ことを特徴とするシールドケース。
【請求項２】
請求項１のシールドケースにおいて、
前記シールドケース本体が、前記シールドカバーを内部に挿入するための長穴を上面に有する、
ことを特徴とするシールドケース。
【請求項３】
請求項１または２のシールドケースにおいて、
前記ブラケットが金属製である、
ことを特徴とするシールドケース。
【請求項４】
請求項１または２のシールドケースにおいて、
前記ブラケットが非金属製である、
ことを特徴とするシールドケース。
【請求項５】
請求項３または４のシールドケースにおいて、
前記ブラケットの前記シールドカバーとの接触面に金属製の板バネを取り付けてなる、
ことを特徴とするシールドケース。
【請求項６】
請求項３または４のシールドケースにおいて、
前記ブラケットの前記シールドカバーとの接触面にシールドガスケットを取り付けてなる、
ことを特徴とするシールドケース。
【請求項７】
請求項１から６のいずれかのシールドケースを装置筐体に用いてなることを特徴とする機器。
【請求項８】
請求項１から６のいずれかのシールドケースを装置筐体に用いてなることを特徴とする画像形成装置。
【発明の詳細な説明】
【技術分野】
【０００１】
本発明は、プリント基板が内部に配置されており、電磁的な不干渉性と耐性を持たせるための箱型のシールドケースと、これを用いた画像形成装置等の機器に関する。
【背景技術】
【０００２】
複写機、プリンタ、ファクシミリ、これらの複合機等の画像形成装置においては、プリント基板を実装するシールドケースと、それを密封するシールドカバーを設計する場合、サービス作業等による開け閉めを可能にする構造と、ＥＭＣ試験をクリアするための電磁的な不干渉性と耐性が必要となることが知られている。
【０００３】
しかし、従来のこの種の画像形成装置では、シールドケースとシールドカバーを開閉可能にしつつ、電磁波を外部に漏らさず、また電磁波の影響を受けないために隙間をなくす、という設計は難しく、ネジを多数使用して隙間をなくし、導通性を向上させているが、ネジを多数使用することにより、製造時の工数がその分増加してしまう。
【０００４】
図７は従来採用されてきたシールドケースのシールドケース本体１及びシールドカバー２の外観図、図８は従来の固定方法を示す斜視図である。図示のように、従来は、シールドカバー２を、シールドケース本体１の縁に多数のネジ１１で固定することにより隙間を減らすようにしている。
【０００５】
例えば特許文献１には、電気的導通を確保しつつ、かつネジの締結を減らし、組立工数の低減を図りつつ部品コストを低減して小型化を可能にすることを目的とし、シールドケースの周縁にバネ接点部材を介在してシールドカバーで封止する筐体構造であって、シールドカバーの周縁に複数の凸部とフック構造の引掛けを有し、シールドケースの周縁に、シールドカバーの凸部の逃げ穴と、フックの引掛けをスライドさせて係合する係合穴を設け、シールドケースとシールドカバーの間にバネ接点部材を挟み、バネ部はシールドカバー凸部に押され、シールドケースの逃げ穴内に撓み、電気的導通を得るという構成が開示されている。
【発明の概要】
【発明が解決しようとする課題】
【０００６】
しかしながら、シールドケース本体とシールドカバーの係合面に隙間ができるという問題は解消されていない。
【０００７】
そこで本発明においては、シールドケース本体へのシールドカバーの取り付けにおいて、シールドケース本体とシールドカバーの間の隙間をなくし、また取り付けを簡単に行えるようにすることを目的とする。
【課題を解決するための手段】
【０００８】
本発明のシールドケースのうち請求項１に係るものは、シールドケース本体の一面に開口面を有し、プリント基板を内部に配置した箱型のシールドケースにおいて、シールドケース本体の前記開口面の内側に挿入するシールドカバーと、前記シールドケース本体の前記開口面以外の対向する二つの側面それぞれに配置された平行運動機構とを有し、前記シールドカバーが少なくとも下側に９０度曲げられた曲げ部を有し、前記平行運動機構の下側のリンクが、前記シールドカバーの前記曲げ部を受けるための断面Ｌ字形状の部材であり、前記平行運動機構が、上下のリンクと、前記シールドケース本体の前記開口面に対向して位置するブラケットを有し、前記平行運動機構の下側のリンクの下側に、該リンクを押し上げ付勢するバネを配し、前記バネの付勢により前記平行運動機構の下側のリンクを押し上げて、前記シールドカバーを前記平行運動機構の前記ブラケットと前記シールドケース本体の前記開口面の縁の内面とで挟み込むようにしてなることを特徴とする。
【０００９】
同請求項２に係るものは、請求項１のシールドケースにおいて、前記シールドケース本体が、前記シールドカバーを内部に挿入するための長穴を上面に有することを特徴とする。
【００１０】
同請求項３に係るものは、請求項１または２のシールドケースにおいて、前記ブラケットが金属製であることを特徴とする。
【００１１】
同請求項４に係るものは、請求項１または２のシールドケースにおいて、前記ブラケットが非金属製であることを特徴とする。
【００１２】
同請求項５に係るものは、請求項３または４のシールドケースにおいて、前記ブラケットの前記シールドカバーとの接触面に金属製の板バネを取り付けてなることを特徴とする。
【００１３】
同請求項６に係るものは、請求項３または４のシールドケースにおいて、前記ブラケットの前記シールドカバーとの接触面にシールドガスケットを取り付けてなることを特徴とする。
【００１４】
請求項７に係るものは、請求項１から６のいずれかのシールドケースを装置筐体に用いてなることを特徴とする機器である。
【００１５】
請求項８に係るものは、請求項１から６のいずれかのシールドケースを装置筐体に用いてなることを特徴とする画像形成装置である。
【発明の効果】
【００１６】
本発明によれば、シールドケース本体とシールドカバーの間を隙間なく、かつシールドケース本体へシールドカバーを簡単に取り付け、取り外しができる。
【図面の簡単な説明】
【００１７】
【図１】シールドケース内を横から見た図であって、リンクが開いた状態を示す図
【図２】シールドケース内を横から見た図であって、リンクが閉じた状態を示す図
【図３】シールドケース内の斜視図
【図４】本発明の一実施例に係るシールドケース及びシールドカバーの外観図
【図５】本発明の一実施例におけるカバー押さえへの板バネの取り付け位置を示した図
【図６】同じくカバー押さえへのシールドガスケットの取り付け位置を示した図
【図７】従来のシールドケース及びシールドカバーの外観図
【図８】従来のシールドケース、シールドカバーの固定方法を示す図
【発明を実施するための形態】
【００１８】
プリント基板が内部に配置されており、電磁的な不干渉性と耐性を持たせるための箱型のシールドケースにおいて、ネジの代替として簡単に取り付け可能な締結を可能とするため、カバーが自重によってケース内をスライドすると、断面がＬ字状の曲げのブラケットがカバーを受け、リンク機構によりカバーをケースの内側に押し付ける。すなわち、シールドカバーの自重を利用してシールドケース内に配置した平行クランク機構などの平行運動機構を作動させ、リンクに取り付けたブラケットでシールドカバーをシールドケース本体の開口面の内側の縁に押し付けることにより、シールドケース本体とシールドカバーの間を隙間なく、かつシールドケース本体へシールドカバーを簡単に取り付け、取り外しできるようにする。
【実施例】
【００１９】
＜実施例１＞
以下、本発明の実施例を図面を参照して説明する。
図１に示すシールドケースは、シールドカバー２をシールドケース本体１の上面の長穴１ａから挿入し、シールドカバー２の下端が第１リンク３に乗る前の各部品の配置について示している。シールドケース本体１内には、後述するリンク機構が対向する両側面（図１は一方の側面のみ示している）に配置される。
【００２０】
リンク機構は両側面とも同一であるので、図に示した一方の側面の機構についてのみ説明する。第１リンク３は９０度に曲げられた断面形状の部材であり、下方からコイルバネ６が受け、上方へ押し上げ付勢している。第１軸４と第３軸８はシールドケース本体１の側面にカシメにより取り付けてあり、これらの軸４、８がそれぞれ第１リンク３、第２リンク７の回転中心となる。バネ６を他の弾性部材で代替可能である。
【００２１】
第１リンク３、第２リンク７の他端では、第２軸５と第４軸９とでシールドカバー２を押さえ付けるカバー押さえ１０（金属製のブラケットである）の上下の曲げ部１０ａを保持している。曲げ部１０ａはシールドケース本体１の両側面に配したリンク機構ごとに２個ずつ設けるので、図示は省略するが、上下２個ずつ、計４個ある。またこのカバー押さえ１０は、シールドケース本体１の開口面以上の大きさの板材であり、中央には作業できるよう角穴１０ｘが開けてある。このカバー押さえ１０とシールドケース本体１の開口１ｘの周縁でシールドカバー２を挟み、カバー押さえ１０とシールドカバー２とをオーバーラップさせて接触面積を確保している。ただし、第１リンク３にシールドカバー２が乗る前は、コイルバネ６によって第１リンク３は持ち上げられており、カバー押さえ１０とシールドカバー２の間には隙間が生じており、シールドカバー２の挿入時はガイド板の役割を果たすようになっている。
【００２２】
シールドカバー２は、上下ともに曲げ形状部２ａ、２ｂを持つ。下側の曲げ形状部２ｂは、第１リンク３に乗るための部位であり、シールドケース本体１の上面の長穴１ａから入れることが可能な程度の大きさとしてある。また、上側の曲げ形状部２ａはシールドカバー２がシールドケース本体１内に落ち込まないようにするためのもので、少なくともシールドケース本体１の上面の長穴１ａより大きく（または長く）、シールドケース本体１の上面とオーバーラップするように形成してある。この上側の曲げ形状部２ａにはネジ穴２ａｓが開けてあり、シールドケース本体１側にもネジ穴１ａsが対応させて開けてある。
【００２３】
図２は、シールドカバー２がシールドケース本体１内の第１リンク３に乗り、第１リンク３が右回転してカバー押さえ１０とシールドケース本体１内側の縁でシールドカバー２を挟み込み、シールドカバー２が最も下側まで移動したときの各部品の配置に付いて示している。シールドカバー２の下端を第１リンク３が受けると、第１リンク３は第１軸４を中心として右回転し、従動節であるカバー押さえ１０がシールドケース本体１側に変位し、ある時点からシールドカバー２をシールドケース本体１に押し付ける。
【００２４】
上述の動作を行うためのリンク機構は、図示の例の平行クランク機構（ただし、本発明はこの機構に限定されず、公知の平行運動機構を代替採用可能である）であり、対面するリンクの長さは等しい。つまり、平行四辺形の形を保ったまま変形を行う。図示の機構では、シールドカバー２を上から押し込むほどカバー押さえ１０によってシールドカバー２はシールドケース本体１側に押し付けられる。また、第１軸４と第３軸８の位置はシールドケース本体１の開口部の内側の縁面に対して平行であるため、カバー押さえ１０も同様に平行となる。このため、シールドカバー２はカバー押さえ１０によって均等な力で押し付けることができる。シールドカバー２の上側の曲げ形状部２ａはネジ１１でシールドケース本体１の上面に取り付け、シールドカバー２が持ち上がらないように固定する。
【００２５】
図３は、上述してきたリンク機構の斜視図である。第１軸４、第３軸８はシールドケース本体１の側面へカシメにより取り付けられている。カバー押さえ１０は、第１リンク３、第２リンク７へ取り付けられるため、カバー押さえ１０の４隅に、カバー押さえ１０と直角で、第１リンク３、第２リンク７と平行な形状を有する。
【００２６】
図４は、本実施例のシールドケース本体１およびシールドカバー２の外観図である。シールドカバー２とシールドケース本体１の接触は、上述した平行クランク機構により、シールドカバー２をシールドケース本体１へ押し付けることが可能になっているため、既述のように、シールドカバー２が上から外れないようにネジ１１で止めるだけでよい。
【００２７】
＜実施例２＞
図５は本発明の実施例２、具体的にはカバー押さえ１０に板バネ１２を取り付けた例を示す。本実施例では、複数の板バネ１２をカバー押さえ１０のシールドカバー２側の面に貼り付け等で取り付け、導通性を向上させている。板バネ１２を設ける範囲は、シールドカバー２へ均等な力を与えるためであるので、カバー押さえ１０の角穴１０ｘの周りの縁全体にできれば均等に配置する形態が好ましい。板バネ１２を他の弾性部材で代替可能である。
【００２８】
＜実施例３＞
図６は本発明の実施例３、具体的にはカバー押さえ１０にシールドガスケットを取り付けた例を示す。本実施例では、シールドカバー２側のカバー押さえ１０の面にシールドガスケット１３を貼り付け、導通性を向上させている。シールドガスケット１３を設ける範囲は、シールドカバー２へ均等な力を与えるためであるので、カバー押さえ１０の角穴１０ｘの周りの縁全体にできれば均等に配置する形態が好ましい。
【００２９】
＜実施例４＞
なお図示は省略するが、上述したシールドケースを画像形成装置など、プリント基板が内部に配置されており、電磁的な不干渉性と耐性を必要とする機器の構造体として採用することが可能である。
【符号の説明】
【００３０】
１：シールドケース
１ａ：シールドケースの上面の長穴
１ａs：ネジ穴
１ｘ：シールドケースの開口
２：シールドカバー
２ａ、２ｂ：シールドカバーの曲げ形状部
２ａｓ：ネジ穴
３：第１リンク
４：第１軸
５：第２軸
６：コイルバネ
７：第２リンク
８：第３軸
９：第４軸
１０：カバー押さえ
１０ａ：カバー押さえの曲げ部
１０ｘ：カバー押さえの角穴
１１：ネジ
１２：板バネ
１３：シールドガスケット
【先行技術文献】
【特許文献】
【００３１】
【特許文献１】特開２００５−１９８６２号公報
【特許文献２】特開平１１−１６３５７５号公報
【図１】
0005578438.tif 000002
【図２】
0005578438.tif 000003
【図３】
0005578438.tif 000004
【図４】
0005578438.tif 000005
【図５】
0005578438.tif 000006
【図６】
0005578438.tif 000007
【図７】
0005578438.tif 000008
【図８】
0005578438.tif 000009